(57)【要約】      （修正有）【課題】必要な時に容易に顔の下側を遮光することができ、かつ、顔の下側を覆った状態における呼吸がスムーズで快適に着用できる日除け帽子を提供する。【解決手段】日除け布を備えた日除け帽子１は、日除け布が着用者の顔を覆う正面側日除け部２５を有しており、正面側日除け部２５が正面側日除け部２５の内側と外側とを連通する通気口３０を有している。したがって、正面側日除け部２５により着用者の顔の下側を遮光した状態において通気口３０を介してスムーズに呼吸できるから、快適に着用することができる。【選択図】図１
0003216133.tif 000002
【実用新案登録請求の範囲】
【請求項１】
日除け布を備えた日除け帽子であって、
前記日除け布が着用者の顔を覆う正面側日除け部を備えており、
前記正面側日除け部が前記正面側日除け部の内側と外側とを連通する通気口を有することを特徴とする
日除け帽子。
【請求項２】
前記通気口が、前記正面側日除け部と日除け布本体とが接合されていない非接合部により形成されている
請求項１に記載の日除け帽子。
【請求項３】
前記非接合部の両側の接合部が、前記日除け布本体の一部と前記正面側日除け部の一部とを重ねた状態で接合している
請求項２に記載の日除け帽子。
【請求項４】
前記非接合部が、前記日除け布本体側よりも前記正面側日除け部の方が長い
請求項３に記載の日除け帽子。
【請求項５】
前記正面側日除け部が前記日除け布本体の両側に設けられており、
前記日除け布本体のそれぞれに前記通気口が設けられている
請求項４に記載の日除け帽子
【請求項６】
前記日除け布本体の前記通気口にのぞむ位置にあご紐が設けられている請求項１ないし５いずれかに記載の日除け帽子。
【請求項７】
前記正面側日除け部が前記日除け布本体の両側に設けられており、
着用者の顔を覆う状態において対向する前記正面側日除け部のそれぞれに係止部が設けられており、
前記正面側日除け部の一方に設けられた前記係止部と他方に設けられた前記正面側日除け部の前記係止部とを係合させることにより、着用者の顔の正面を覆う
請求項１に記載の日除け帽子。
【請求項８】
前記正面側日除け部のそれぞれに前記係止部が二つ設けられており、
同じ前記正面側日除け部に設けられた二つの前記係止部同士が係合可能である
請求項７に記載の日除け帽子。
【請求項９】
同じ前記正面側日除け部に設けられた二つの前記係止部が、面ファスナーのループとフックである請求項８に記載の日除け帽子。
【考案の詳細な説明】
【技術分野】
【０００１】
本考案は、着用者の顔の下側の口や鼻を覆う正面側日除け部を備えた日除け布が取り付けられた日除け帽子、特に、正面側日除け部により顔の下側が覆われた状態においても呼吸がスムーズであって快適な日除け帽子に関する。
【背景技術】
【０００２】
野外作業において顔や首が日焼けすることを防止するため、日除け布が取り付けられた日除け帽子が用いられている。日除け帽の日除け布は、農作業、造園、園芸庭造り等の作業内容や気温や湿度などの外部状況に応じて、種々の形状のものが用いられる。例えば、半クラウンを取り巻くツバを有する帽子本体と、帽子本体に連なって取り付けられた日除け布とを備えた日除け帽子（特許文献１）や、日除け用の布を二枚備えており、内側の一枚の布をマスクとして用い、外側の一枚の布により内側の布を押さえて使用する日除け帽子が提案されている（特許文献２）
【先行技術文献】
【特許文献】
【０００３】
【特許文献１】特開２０１７−１４６４０公報
【特許文献２】特開２００７−１６３２５号公報
【考案の概要】
【考案が解決しようとする課題】
【０００４】
特許文献１の日除け帽子は、着用者の顔の下側の口や鼻の周りを覆う場合、帽子本体に連なる日除け布と別体のマスクをガイド部に取り付ける。このため、作業内容や環境に応じて遮光性を調整する際における、ガイド部へマスクを着脱する作業が煩雑であるという問題がある。
特許文献２の日除け帽子は、二枚の日除け用の布のうち内側の一枚の布をマスクとして用いるため、口や鼻が日除け用の布により覆われて、スムーズに呼吸することができないという問題がある。
【０００５】
そこで、本考案は、必要な時に容易に顔の下側を遮光することができ、かつ、顔の下側を覆った状態における呼吸がスムーズで快適な日除け帽子の提供を目的とする。
【課題を解決するための手段】
【０００６】
上記の目的を達成するために本考案が備えている手段は以下のとおりである。
（１）日除け布を備えた日除け帽子であって、前記日除け布が着用者の顔を覆う正面側日除け部を有しており、前記正面側日除け部が前記正面側日除け部の内側と外側とを連通する通気口を有することを特徴とする日除け帽子。
（２）前記通気口が、前記正面側日除け部と日除け布本体とが接合されていない非接合部により形成されている（１）に記載の日除け帽子。
（３）前記非接合部の両側の接合部が、前記日除け布本体の一部と前記正面側日除け部の一部とを重ねた状態で接合している（２）に記載の日除け帽子。
（４）前記非接合部が、前記日除け布本体側よりも前記正面側日除け部の方が長い（３）に記載の日除け帽子。
（５）前記正面側日除け部が前記日除け布本体の両側に設けられており、前記日除け布本体のそれぞれに前記通気口が設けられている（４）に記載の日除け帽子。
（６）前記日除け布本体の前記通気口にのぞむ位置にあご紐が設けられている（１）ないし（５）いずれかに記載の日除け帽子。
【０００７】
（７）前記正面側日除け部が前記日除け布本体の両側に設けられており、着用者の顔を覆う状態において対向する前記正面側日除け部のそれぞれに係止部が設けられており、前記正面側日除け部の一方に設けられた前記係止部と他方に設けられた前記係止部とを係合させることにより、着用者の顔の正面を覆ことができる（１）に記載の日除け帽子。
（８）前記正面側日除け部のそれぞれに前記係止部が二つ設けられており、同じ前記正面側日除け部に設けられた二つの前記係止部同士が係合可能である（７）に記載の日除け帽子。
（９）同じ前記正面側日除け部に設けられた二つの前記係止部が、面ファスナーのループとフックである（８）に記載の日除け帽子。
【考案の効果】
【０００８】
本考案によれば、日除け布の正面側日除け部を用いて顔の下側を覆うことができるから、必要に応じて簡単に紫外線防御機能を調整することができる。また、正面側日除け部によって鼻や口を覆った状態において、通気口を介してスムーズに呼吸することができるから、快適である。
【図面の簡単な説明】
【０００９】
【図１】本考案の実施形態にかかる日除け帽子の概略を示す側面図
【図２】本考案の実施形態にかかる日除け帽子の概略を示す正面図
【図３】日除け帽子における通気口の構造を模式的に示す説明図
【図４】あご紐を通す位置による通気口の開口状態の相違を模式的に示す説明図（ａ）あご紐を通気口に通した状態、（ｂ）あご紐を通気口に通していない状態
【図５】日除け布本体の両側に設けられた正面側日除け部が開いた状態を示す正面図
【図６】二つの正面側日除け部のうちの一方が閉じ他方が開いた状態を示す正面図
【図７】同じ正面側日除け部に設けられた二つの係止部が係合した状態を示す正面図
【図８】本考案の他の実施形態にかかる日除け帽子において、正面側日除け部が開いた状態を示す正面図
【考案を実施するための形態】
【００１０】
以下、図面を参酌して、本考案の実施形態について説明する。以下では、同一の部材には、同じ番号を付して、適宜説明を省略する。
図１および図２は、本考案の実施形態にかかる日除け帽子１の概略を示す側面図および正面図である。これらの図に示すように、日除け帽子１は、ツバ１０と本体２０とを備えている。
【００１１】
本体２０は、クラウン２２と日除け布本体２４とを有している。クラウン２２は、本体２０の複数のタック２１と、ギャザー部２３とによって挟まれた部分をいう。タック２１は、ツバ１０との接合部からひだ状に並ぶように設けられている。ギャザー部２３は、着用した際に後頭部と首との境界となる位置に設けられている。タック２１とギャザー部２３とを設けることによって、適度な余裕をもって頭部にフィットする外観および着用感の良好なクラウン２２となる。
【００１２】
日除け布本体２４は、本体２０におけるクラウン２２以外の部分をいい、着用者の首や顔を保護する。日除け布本体２４は、顔の下側すなわち、着用者の目よりも下側の部分を覆う正面側日除け部２５を有している。この日除け布本体２４に設けられた正面側日除け部２５を用いて日除け帽子１の紫外線防御機能を調整することができる
【００１３】
日除け布本体２４には、正面側日除け部２５に通気口３０が設けられている。このため、正面側日除け部２５で顔の下半分を覆った状態において、正面側日除け部２５の内側と外側との間で通気口３０を介した空気の円滑な流れが生じる。したがって、着用者は、正面側日除け部２５で顔を覆った状態において、正面側日除け部２５の内側に通気口３０から空気を取り入れてスムーズに呼吸することができるから快適である。
【００１４】
通気口３０は、正面側日除け部２５で顔を覆った状態において、着用者の顔の両側にそれぞれ設けられている。着用者の顔の両側に通気口３０を設けることにより、正面側日除け部２５の内側と外側との間の空気の流れがさらに円滑になるから、快適性が向上する。
【００１５】
図３は、日除け帽子１における通気口３０の構造を模式的に示す説明図である。同図に示すように、通気口３０は、正面側日除け部２５の正面側非接合部２５Ｈと、日除け布本体２４の本体側非接合部２４Ｈにより形成されている。すなわち、正面側日除け部２５と日除け布本体２４とが接合されていない部分によって通気口３０が形成されている。また、正面側非接合部２５Ｈの長さＬ１が本体側非接合部２４Ｈの長さＬ２よりも長くなるように接合されているから、正面側非接合部２５Ｈの自然な膨らみによって通気口３０が形成される。
【００１６】
また、正面側非接合部２５Ｈと本体側非接合部２４Ｈとの両側の接合部３１・３１は、正面側日除け部２５の一部と日除け布本体２４の一部とが重なった状態で接合されている。この構成により、正面側非接合部２５Ｈの膨らみによって通気口３０が開いた状態とするとともに、本体側非接合部２４Ｈが通気口３０の内側に位置することとなる。したがって、通気口３０近傍を紫外線から保護することができる。なお、接合部３１・３１は、例えば、正面側非接合部２５Ｈと本体側非接合部２４Ｈとの縫合や接着により形成される。
【００１７】
日除け布本体２４における、２つの通気口３０・３０にのぞむ位置にそれぞれ、一対のあご紐４０の一端が取り付けられている。「通気口３０・３０にのぞむ位置」とは、日除け帽子１を着用した状態で、通気口３０・３０を通過させたあご紐４０の他端を着用者の顎で結ぶことのできる位置をいう。この構成により、あご紐４０を通気口３０・３０に通すか否かにより、通気口３０が開く状態を調整することができる。あご紐４０による通気口３０の開口状態の相違を図４（ａ）及び図４（ｂ）に照らして説明する。
【００１８】
図４（ａ）に示すように、あご紐４０を通気口３０に通した状態で、正面側非接合部２５Ｈの内側（着用者側）で結べば、白抜き矢印で示したように、本体側非接合部２４Ｈをあご紐４０によって着用者の顔に押しつけることができる。このため、本体側非接合部２４Ｈと正面側非接合部２５Ｈとの間が広がって、通気口３０が大きくなる。したがって、通気口３０に通してあご紐４０を結べば、通気性を良くすることができる。また、このように結べば、正面側日除け部２５の下端が固定されず、正面側日除け部２５を垂直方向に自由とすることができるので、締め付け感が低く比較的楽に装着することができるとともに、胸元から肩まで正面側日除け部２５で覆うことができ、紫外線から広範囲に防御することが可能である。
【００１９】
図４（ｂ）に示すように、あご紐４０を通気口３０に通さないで、正面側非接合部２５Ｈの外側で結べば、白抜き矢印で示したように、正面側非接合部２５Ｈをあご紐４０によって着用者の顔側に押しつけることができる。このため、本体側非接合部２４Ｈと正面側非接合部２５Ｈとを重ねて、通気口３０を閉じることができる。したがって、通気口３０に通さないであご紐４０を結べば、通気口から塵埃が侵入することを防止できる。また、このように結べば、正面側日除け部２５を着用者のあごから喉に密着させることができるので、しっかりした装着感を得ることができるとともに、粉塵が首回りから侵入することを防止でき、さらに首回りを集中的に紫外線から防御することが可能である。
【００２０】
さらに、あご紐４０を後ろに回し、ギャザー部２３の近傍で結ぶという使い方も可能である。このように結ぶことにより、日除け帽子を後頭部にしっかりと固定することが可能である。
【００２１】
図５は日除け布本体２４の両側に設けられた正面側日除け部２５Ａ・２５Ｂを開いた状態を示す正面図であり、図６は二つの正面側日除け部２５Ａ・２５Ｂのうちの正面側日除け部２５Ｂが閉じ、正面側日除け部２５Ａが開いた状態を示す正面図である。これらの図に示すように、二つの正面側日除け部２５Ａおよび２５Ｂは、日除け布本体２４の両側に設けられている。そして、着用者の顔を覆う状態において対向する面に、係止部２６Ａ１・２６Ａ２および係止部２６Ｂ１・２６Ｂ２が設けられている。正面側日除け部２５Ａの係止部２６Ａ１・２６Ａ２と、正面側日除け部２５Ｂの係止部２６Ｂ１・２６Ｂ２とを係合させることにより、正面側日除け部２５Ａ・２５Ｂの一部が重なった状態で着用者の顔をしっかりと覆うことができる（図１および図２参照）。
【００２２】
図７は正面側日除け部２５Ａに設けられた係止部２６Ａ１と係止部２６Ａ２とが係合し、正面側日除け部２５Ｂに設けられた係止部２６Ｂ１と係止部２６Ｂ２とが係合した状態を示す正面図である。同図に示すように、日除け帽子１は、着用者の顔の両側において、正面側日除け部２５Ａ・２５Ｂがそれぞれ二つ折りにされた状態として、紫外線防御効果を調整することができる。
【００２３】
係止部２６Ａ１・２６Ａ２・２６Ｂ１・２６Ｂ２は、例えば、面ファスナーやスナップボタンを用いることができる。面ファスナーを用いる場合、係止部２６Ａ１・２６Ａ２をフック・ループ、２６Ｂ１・２６Ｂ２をループ・フックとすれば、正面側日除け部２５Ａと正面側日除け部２５Ｂとを重ねた状態で係止して顔を覆う状態と、正面側日除け部２５Ａおよび正面側日除け部２５Ｂをそれぞれ二つ折りにして顔を覆わない状態とを、簡単に変更することができる。
【００２４】
図８は、本考案の他の実施形態にかかる日除け帽子５１正面側日除け部２５が開いた状態を示す正面図である。同図に示すように、日除け布本体２４の片側にのみ正面側日除け部２５を備えた構成としてもよい。この場合、正面側日除け部２５に設けられた係止部２６Ａ１と、日除け布本体２４に設けられた係止部２６Ｂ１を係合させることにより、正面側日除け部２５で着用者の顔を覆うことができる。日除け帽子５１も日除け帽子１同様、正面側日除け部２５の通気口３０を介して、スムーズに呼吸しながら、紫外線から顔の下半分を防御することができる。
【産業上の利用可能性】
【００２５】
本考案は、日常生活、農作業、造園、園芸庭造り等に用いられる、顔や首の遮光機能が高く、かつ呼吸がスムーズな日除け帽子として用いることができる。
【符号の説明】
【００２６】
１、５１  ：日除け帽子
１０      ：ツバ
２０      ：本体
２１      ：タック
２２      ：クラウン
２３      ：ギャザー部
２４      ：日除け布本体
２４Ｈ    ：本体側非接合部
２５、２５Ａ、２５Ｂ：正面側日除け部
２５Ｈ    ：正面側非接合部
２６Ａ１、２６Ａ２、２６Ｂ１、２６Ｂ２：係止部
３０      ：通気口
３１      ：接合部
４０      ：あご紐
【図１】
0003216133.tif 000003
【図２】
0003216133.tif 000004
【図３】
0003216133.tif 000005
【図４】
0003216133.tif 000006
【図５】
0003216133.tif 000007
【図６】
0003216133.tif 000008
【図７】
0003216133.tif 000009
【図８】
0003216133.tif 000010